(57)【特許請求の範囲】
【請求項１】
ベースフレーム１の前後中間部の左右一側部に支柱立設手段７を介して着脱可能とした支柱１２を立設し、この支柱１２に沿って移動可能な昇降部材１３と、この昇降部材１３を適宜昇降可能な昇降機構１４とを設け、前記昇降部材１３には、車椅子の車輪幅に離間し車椅子を上面に載置可能なテーブル２３を上部に設けた水平状のテーブル支持体２４の基部を、上下方向回動自在かつ着脱可能に取り付け、前記ベースフレーム１は、その左右中間部にて左右方向幅狭に折り畳み可能に構成すると共に前後両端左右一側部にそれぞれベースフレームを左右方向に傾倒させたときのみ設置する車輪６を設け、一方、前記テーブル支持体２４は左右中間部で折り畳み可能に構成されたことを特徴とする車椅子用昇降装置。
【請求項２】
テーブル支持体２４は、昇降部材とテーブル支持体２４にそれぞれ設けられた係合部材２８と被係合部材２９を係合させることにより折り畳み状態に保持可能に構成されたことを特徴とする請求項１に記載の車椅子用昇降装置。
【発明の詳細な説明】
【０００１】
【産業上の利用分野】
本発明は、車椅子での移動の際に段差解消のために使用される車椅子用昇降装置に関するものである。
【０００２】
【従来の技術】
一般的に住宅には、玄関や屋外地面と屋内床面との間に段差が設けられている。しかし、車椅子使用者が日常の生活を送る際には、この段差があるためにあらゆる不都合が生じる。そこで、この段差を解消するために、テーブル上面に車椅子を載置し、そのテーブルが前記段差の間を昇降するよう構成した車椅子用昇降装置が多数提案されている。この昇降装置には、段差下側面に埋設するよう構成したものや、据え置き型がある。
【０００３】
【発明が解決しようとする課題】
しかしながら上記従来の車椅子用昇降装置は、埋設型に関してはその場所での使用に限られるし、据え置き型に関しても装置が大型であるため設置場所の変更が困難である。したがって、車椅子使用者の屋内への出入口は一箇所に限定される。
そこで本発明は、一人で容易に設置場所を変更できると共に、使用しないとき等にはコンパクトに収納できる車椅子用昇降装置とすることを課題としている。
【０００４】
【課題を解決するための手段】
本発明は上記課題を解決するために、ベースフレーム１の前後中間部の左右一側端部に支柱立設手段７を介して着脱可能とした支柱１２を立設し、この支柱１２に沿って移動可能な昇降部材１３と、この昇降部材１３を適宜昇降可能な昇降機構１４とを設け、前記昇降部材１３には、車椅子の車輪幅に離間し車椅子を上面に載置可能なテーブル２３を上部に設けた水平状のテーブル支持体２４の基部を、上下方向回動自在かつ着脱可能に取り付け、前記ベースフレーム１は、その左右中間部にて左右方向幅狭に折り畳み可能に構成すると共に前後両端左右一側部にそれぞれベースフレーム１を左右方向に傾倒させたときのみ接地する車輪６を設け、一方、前記テーブル支持体２４は左右中間部で折り畳み可能に構成されたことを特徴とする車椅子用昇降装置とした。
【０００５】
また、前記テーブル支持体２４は、昇降部材１３とテーブル支持体２４にそれぞれ設けられた係合部材２８と被係合部材２９を係合させることにより折り畳み状態に保持可能に構成されたことを特徴とする車椅子用昇降装置とした。
【０００６】
【作用】
身体障害者の乗った車椅子を屋外から屋内に入れる場合、回転ハンドルを操作して昇降部材を最下端まで下降させる。そして、車椅子をテーブル上に載置させた後、回転ハンドルを操作して昇降部材を上昇させてテーブル面と屋内床面との高さを合わせる。この状態から車椅子を屋内側に移動させれば完了である。
【０００７】
この昇降装置を別の場所へ移動させる場合は、この昇降装置を支柱側に傾けてベースフレームの支柱側前後端部にそれぞれ設けられる車輪を接地させる。そして、この傾けた状態のまま昇降装置を移動させれば一人でも簡単に移動させることができる。
【０００８】
折り畳んで収納する場合は、側枠をテーブル支持体の下側に位置するように回動させ、テーブル支持体を中間枢着部で折り畳み、テーブル支持体を回動軸を軸心として上方回動させる。そして、係合部材と被係合部材を係合させてこの折り畳み状態に保持させる。次に、図３の仮想線で示すようにベースフレームの横フレームを折り畳めば、図１１及び図１２に示すように左右幅を薄く折り畳むことができる。
【０００９】
さらにコンパクトに分解する場合は、まずテーブル支持体の回動軸の抜け止め手段である回転片を外方へ回転させて抜け止め手段を解除し、テーブル支持体を昇降部材から取り外す。そして、支柱の立設手段であるロックレバーを操作してロックを解除し、支柱をベースフレームから取り外せば、ベースフレーム部と支柱部とテーブル部の３つに分割され、車のトランク等にも積載可能である。
【００１０】
【実施例】
以下、本発明の一実施例を図面に基づき詳細に説明する。
１はベースフレームであり、図３に示すように前後方向に設けられる縦フレーム２と、その前後端部に基部を固着して左右水平方向に延びる一対の横フレーム３とから構成されている。そして、この横フレーム３は左右中間部で分割され、その分割先端部が水平方向に回動可能に枢着されて、ベースフレーム１の内側方向へ折り畳み可能となっている。また、前記枢着部の先端側には、横フレーム３，３間を連結すると共にその中間部を枢結構成としたリンク機構が設けられており、この中間枢結部が横フレーム３の先端側に支点越えすることにより、横フレーム３が直線状に固定されるようフレーム固定手段４が構成されている。
【００１１】
５は前記縦フレーム２の前後端部にそれぞれ設けられた支持脚である。これはねじにより高さ調節可能に設けられ、ベースフレーム１の設置面に合わせて調節してがたつきをなくすものである。また６は、ベースフレーム１の縦フレーム２側の前後端部にそれぞれ設けられる一対の車輪である。これは、ベースフレーム１を設置した状態では設置面と離間し、ベースフレーム１をこの車輪６側に傾倒させたときに設置面に接地し転動するように設けられている。なお本実施例では車輪６を前後方向に設けているが、左右方向に設けておいてもよい。
【００１２】
７は、後述の支柱を立設固定するための支柱立設手段である。これは、前記縦フレーム２の中間部に一対のブラケット８を離間させて固着し、このブラケット８，８間には支軸９が設けられている。そして、このブラケット８の前後一側にはロックレバー１０が設けられている。このロックレバー１０は、水平方向に回転して、平面視でブラケット８，８内に位置する状態とその外側に位置する状態とに切り替え可能なロック部１０ａと、そのレバー部１０ｂとからなる。また１１は支柱の支持部材である。
【００１３】
１２は支柱であり、断面矩形のパイプ部材からなる。１３は昇降部材であり、前記支柱１２に沿って移動可能に設けられている。１４は前記昇降部材１３を適宜昇降可能な昇降機構である。この昇降機構１４は図４に示すように、支柱１２の上端部に回転ハンドル１５を設け、この回転ハンドル１５の回転軸に一体のベベルギヤ１６とこれに噛み合うベベルギヤ１７を設け、さらにこのベベルギヤ１７の回転軸に一体のスプロケット１８を設けると共に支柱下端部にもスプロケット１９を設け、このスプロケット１８，１９を経由するチェーン２０の両端部を前記昇降部材１３にそれぞれ止着した構成となっている。すなわち、回転ハンドル１５を回転操作することにより、昇降部材１３が昇降するようになっている。
【００１４】
前記支柱１２の下端部には固定板２１が固看され、その下部には前記ブラケット８，８間よりもやや接近した状態に設けられると共に水平方向の溝が形成された一対の溝付きブラケット２２が設けられている。すなわち、図５及び図６に示すように、溝付きブラケット２２の溝部を支軸９に係合し、この支軸９を軸として支柱１２を起立させると、固定板２１が支持部材１１に当接して支柱１２が鉛直方向に起立した状態となる。この状態から、ロックレバー１０を図７に示す状態から図８に示すように操作すると、ロック部１０ａにより固定板２１が固定され、支柱１２が立設固定される。
【００１５】
２３は、車椅子の車輪幅に離間させて前後方向に設けられ、上面に車椅子を載置するテーブルである。このテーブル２３は、前記昇降部材１３に基部を連結すると共に先端部が反支柱側に水平方向に延びるテーブル支持体２４の上部に取り付けられている。このテーブル支持体２４は、左右中間部で前後方向を軸心として折り畳み可能に枢着し、水平状態と折り畳み状態とに姿勢変更できるようになっている。
【００１６】
昇降部材１３には図９に示すように、溝部２５ａが形成された受け板２５が一体に設けられ、さらにこの受け板２５には回転片２６が設けられている。すなわち、テーブル支持体２４の回動軸２７を溝部２５ａに嵌合させ、回転片２６を図１０に示す状態にすると、回動軸２７の抜け止めとなる。
【００１７】
２８は前記受け板２５の上方に設けられる係合部材である。これは、テーブル支持体２４を回動軸２７を軸心として上方回動させて折り畳んだ状態で、このテーブル支持体２４側に設けられる被係合部材２９に引っかけることにより、この折り畳み状態を保持するようになつている。また３０は、前記昇降部材１３の下部に一体に設けられ、テーブル支持体２４の水平状態で支柱１２側のテーブル２３に当接して、このテーブル支持体２４を水平状態に保持するストッパー部材である。
【００１８】
３１は、パイプ部材を門型状に形成してその左右両下端部を反支柱１２側のテーブル２３側部に前後方向軸心回りに回転可能に枢着した側枠である。そしてこの側枠３１は、立設状態とテーブル支持体２４に沿うように折り畳まれた状態とに姿勢変更可能に構成されている。
【００１９】
次に、上例の作用について説明する。
身体障害者の乗った車椅子を屋外から屋内に入れる場合、図１及び図２の状態にある昇降装置を玄関に設置し、回転ハンドル１５を操作して昇降部材１３を最下端まで下降させる。そして、車椅子をテーブル２３上に載置させた後、回転ハンドル１５を操作して昇降部材１３を上昇させてテーブル２３面と屋内床面との高さを合わせる。この状態から車椅子を屋内側に移動させれば完了である。
【００２０】
この昇降装置を別の場所へ移動させる場合は、この昇降装置を支柱１２側に傾ける。すると、ベースフレーム１の支柱１２側前後端部にそれぞれ設けられる車輪６が接地して転動するので、一人でも簡単に移動させることができる。
【００２１】
折り畳んで収納する場合は、側枠３１をテーブル支持体２４の下側に位置するように回動させ、テーブル支持体２４を中間枢着部で折り畳み、テーブル支持体２４を回動軸２７を軸心として上方回動させる。そして、係合部材２８と被係合部材２９を係合させてこの折り畳み状態に保持させる。次に、図３の仮想線で示すようにベースフレーム１の横フレーム３を折り畳めば、図１１及び図１２に示すように左右幅を薄く折り畳むことができる。
【００２２】
さらにコンパクトに分解する場合は、まずテーブル支持体２４の回動軸２７の抜け止め手段である回転片２６を外方へ回転させて抜け止め手段を解除し、テーブル支持体２４を昇降部材１３から取り外す。そして、支柱１２の立設手段であるロックレバー１０を操作してロックを解除し、支柱１２をベースフレーム１から取り外せば、ベースフレーム部と支柱部とテーブル部の３つに分割され、車のトランク等にも積載することができる。
【００２３】
【発明の効果】
以上のように、本発明にかかる車椅子用昇降装置は、一人でも容易に設置場所を移動できると共に、左右幅を薄くして収納でき、さらにベースフレーム部と支柱部とテーブル部の３つに分解してコンパクトに収納することもできる。
【図面の簡単な説明】
【図１】本発明にかかる車椅子用昇降装置の正面図
【図２】その側面図
【図３】ベースフレームの平面図
【図４】昇降機構を示す説明図
【図５】支柱立設手段の拡大説明図
【図６】支柱立設手段の拡大説明図
【図７】その作用を説明する平面図
【図８】その作用を説明する平面図
【図９】昇降部材の正面図
【図１０】テーブル支持体の取付方法及び折り畳み保持方法の説明図
【図１１】折り畳み状態を示す正面図
【図１２】その側面図
【符号の説明】
１          ベースフレーム
６          車輪
７          支柱立設手段
１２        支柱
１３        昇降部材
１４        昇降機構
２３        テーブル
２４        テーブル支持体
２８        係合部材
２９        被係合部材
【図１】
0003651625.tif 000002
【図２】
0003651625.tif 000003
【図３】
0003651625.tif 000004
【図４】
0003651625.tif 000005
【図５】
0003651625.tif 000006
【図６】
0003651625.tif 000007
【図７】
0003651625.tif 000008
【図８】
0003651625.tif 000009
【図９】
0003651625.tif 000010
【図１０】
0003651625.tif 000011
【図１１】
0003651625.tif 000012
【図１２】
0003651625.tif 000013